(57)【要約】      （修正有）【課題】  電気コネクタの伝送速度を高めるために接触インピーダンスを効果的に減少させる接点を提供。【解決手段】基板対基板電気コネクタ組立体において使用するために提供される電気コネクタは、第１のプリント回路基板上に実装する絶縁性ハウジングであって、第２のプリント回路基板上に実装された相手側コネクタのプラグ部を収容する差込口を備えた絶縁性ハウジングを有する。該ハウジング上に複数の導電性端子が取付けられ、各端子は、差込口内に延在する接点アームを備えている。接点アームは、相手側コネクタの端子と係合するために差込口内に異なる角度で突出する第１及び第２の接点部を備えている。【選択図】図５
2006302901.tif 000002
【特許請求の範囲】
【請求項１】
基板対基板電気コネクタ組立体における電気コネクタであって、
第１のプリント回路基板上に取付ける絶縁性ハウジングであって、第２のプリント回路基板上に実装された相手側コネクタのプラグ部を収容する差込口を含む絶縁性ハウジングと、
該ハウジング上に取付けられ、各々が差込口内に延在する接点アームを含む複数の導電性端子であって、接点アームが、相手側コネクタの端子と係合するために差込口内に異なる角度で突出する第１及び第２の接点部を備えた複数の導電性端子とを有する電気コネクタ。
【請求項２】
前記差込口が、相手側コネクタのプラグ部を挿入方向に収容する開口を備え、前記第１の接点部が、差込口内に挿入方向とほぼ平行に開口に向って突出している、請求項１に記載の電気コネクタ。
【請求項３】
前記第２の接点部が、差込口内に挿入方向に対してほぼ垂直に突出している、請求項２に記載の電気コネクタ。
【請求項４】
前記差込口が、相手側コネクタのプラグ部を挿入方向に収容する開口を備え、前記第２の接点部が、差込口内に挿入方向に対してほぼ垂直に突出している、請求項１に記載の電気コネクタ。
【請求項５】
前記接点アームが、差込口の底に設けられたベース部を含み、前記第１の接点部が、ベース部から差込口内に突出している、請求項１に記載の電気コネクタ。
【請求項６】
前記接点アームが、ベース部の端に可撓性の自由部を含み、前記第２の接点部は、自由部の遠位端から差込口内に突出している、請求項５に記載の電気コネクタ。
【請求項７】
前記接点アームが、可撓性部を含み、前記第２の接点部が、可撓性部の遠位端から差込口内に突出している、請求項１に記載の電気コネクタ。
【請求項８】
前記差込口は、相手側コネクタのプラグ部を差込口に挿入する開口を備え、端子の前記接点アームが、ベース部と１対の側部とを備えるほぼＵ字型であり、前記第１及び第２の接点部が、ベース部と一方の側部とに配設された、請求項１に記載の電気コネクタ。
【請求項９】
基板対基板電気コネクタ組立体における電気コネクタであって、
第１のプリント回路基板上に実装される絶縁性ハウジングであって、第２のプリント回路基板上に実装された相手側コネクタのプラグ部を収容する差込口を含み、該差込口が、相手側コネクタのプラグ部を挿入方向に収容する開口を備えた絶縁性ハウジングと、
該ハウジング上に取付けられた複数の導電性端子であって、各々が、差込口の底に設けられたベース部と、ベース部から差込口内に挿入方向とほぼ平行に開口に向って突出する第１の接点部と、ベース部の端にある可撓性の自由部と、該自由部の遠位端から差込口内に挿入方向に対してほぼ垂直に突出する第２の接点部とを備えた接点アームを含む複数の導電性端子とを有する電気コネクタ。
【請求項１０】
前記接点アームが、１対の側部とともに前記ベース部を画定するほぼＵ字型であり、側部の一方が前記可撓性の自由部を画定する、請求項９に記載の電気コネクタ。
【請求項１１】
基板対基板電気コネクタ組立体であって、
プリント回路基板上に実装され、嵌合端子を備えたプラグ部を含む相手側コネクタと、
他のプリント回路基板上に実装するための絶縁性ハウジングを含み、相手側コネクタのプラグ部を収容する差込口を含む第１のコネクタと、
前記ハウジング上に取付けられ、各々が差込口内に延在する接点アームを含む複数の導電性端子であって、接点アームが、相手側コネクタの端子と係合するために差込口内に異なる角度で突出する第１及び第２の接点部を備えた複数の導電性端子とを有する電気コネクタ組立体。
【請求項１２】
前記差込口が、相手側コネクタのプラグ部を挿入方向に収容する開口を備え、前記第１の接点部が、差込口内に挿入方向とほぼ平行に開口に向って突出している、請求項１１に記載の電気コネクタ。
【請求項１３】
前記第２の接点部が、差込口内に挿入方向に対してほぼ垂直に突出する、請求項１２に記載の電気コネクタ。
【請求項１４】
前記差込口が、相手側コネクタのプラグ部を挿入方向に収容する開口を備え、前記第１の接点部が、差込口内に挿入方向とほぼ平行に開口に向って突出している、請求項１１に記載の電気コネクタ。
【請求項１５】
前記接点アームが、差込口の底に設けられたベース部を含み、前記第１の接点部がベース部から差込口内に突出している、請求項１１に記載の電気コネクタ。
【請求項１６】
前記接点アームが、ベース部の端に設けられた可撓性の自由部を含み、前記第２の接点部が、自由部の遠位端から差込口内に突出している、請求項１５に記載の電気コネクタ。
【請求項１７】
前記接点アームが可撓性部を含み、前記第２の接点部が、可撓性部の遠位端から差込口内に突出している、請求項１１に記載の電気コネクタ。
【請求項１８】
前記差込口が、相手側コネクタのプラグ部を差込口に挿入する開口を備え、端子の前記接点アームが、ベース部と１対の側部とを備えたほぼＵ字型であり、前記第１及び第２の接点部が、ベース部と一方の側部とに配設された、請求項１１に記載の電気コネクタ。
【発明の詳細な説明】
【技術分野】
【０００１】
本発明は、一般に電気コネクタの技術に関し、詳細には、改良された接点を備えた端子を有する基板対基板電気コネクタ組立体に関する。
【背景技術】
【０００２】
小型の基板対基板電気コネクタ組立体は当該技術分野において既知である。従来、第１のコネクタ、すなわち、レセプタクルコネクタが第１のプリント回路基板に実装され、プラグコネクタ、すなわち、第２のコネクタが第２のプリント回路基板に実装されている。２枚のプリント回路基板がほぼ平行な位置関係で、プラグコネクタがレセプタクルコネクタに挿入される。
【０００３】
図１〜３は、従来技術において知られているような組立体を示す。具体的には、全体を１４で示した基板対基板電気コネクタ組立体が、第１のプリント回路基板１８に実装され全体を１６で示した第１のコネクタと、第２のプリント回路基板２２に実装され全体を２０で示した第２のコネクタとを有する。第１のコネクタ１６には、全体を２４で示した複数の導電性端子が取付けられ、第２のコネクタ２０には、全体を２６で示した複数の導電性端子が取付けられている。端子は２本の平行な列を成している。
【０００４】
より詳細には、第１のコネクタ１６は、ほぼ長方形で全体を２８で示した絶縁性ハウジングを有し、該絶縁性ハウジング２８は、向合った細長い側壁２８ａ、細長い中央プラットフォーム２８ｂ、及び、側壁と中央プラットフォームとの間にあり全体を２８ｃで示した挿入溝を有する。各端子２４は、第１のプリント回路基板１８上の適切な回路トレースにはんだ付等によって接続されたテール部２４ｂとともに、ハウジングの側壁２８ａのうちの対応する側壁内に固定された取付ポスト２４ａを有する。各端子は、ベース部２４ｃと該ベース部に接続された側部２４ｄと２４ｅとによって画定されたほぼＵ字型の接点部を有する。側部２４ｂは、その遠位端に接点部２４ｆを有し、側部２４ｅは、その遠位端に保持部２４ｇを有する。Ｕ字型接点部は、ハウジング２８の挿入溝２８ｃの底に配設される。
【０００５】
第２のコネクタ２０は、全体を３０で示した絶縁性ハウジングを有し、該絶縁性ハウジング３０は、底壁３０ａと１対の側壁３０ｂとを備え、側壁の間に全体を３０ｃで示した収容溝を画定する。第１のコネクタ１６の２列の端子２４と嵌（かん）合する２列の端子を画定するように、端子２６が側壁に取付けられている。各端子２６は、ハウジングの側壁３０ｂのうちの対応するものに固定された本体部２６ａを、第２のプリント回路基板２２上の適切な回路トレースにはんだ付等によって接続されるテール部２６ｂとともに有する。各端子は、対応する側壁３０ｂの内側面に接点部２６ｃを有する。
【０００６】
コネクタ１６と２０とを嵌合するとき、該コネクタ２０のハウジング３０の側壁３０ｂが（端子２６の接点部２６ｃとともに）、コネクタ１６のハウジング２８の挿入溝２８ｃに入る。これと同時に、第１のコネクタのハウジング２８のプラットフォーム２８ｂが、コネクタ２０のハウジング３０の収容溝３０ｃに入る。嵌合の際には、第１のコネクタの端子２４の接点部２４ｆは、第２のコネクタの端子２６の接点部２６ｃと係合する。端子２４の保持部２４ｇは、第２のコネクタのハウジング３０の側壁３０ｂの外側面にしっかりと当り、接点部２４ｆは、第１のコネクタのハウジング２８のプラットフォーム２８ｂの両側にある接点溝３２内で自由に撓（たわ）むことができる。
【発明の開示】
【発明が解決しようとする課題】
【０００７】
高周波伝送においては、接触インピーダンスの大きさが伝送速度に影響を及ぼす。各端子２４に、対応する端子２６の接点部２６ｃと係合する接点部２４ｆが１つしかない場合は、各対の嵌合端子間には接点が１つしかない。したがって、接触インピーダンスを効果的に減少させることができず、その結果伝送速度が制限される。その結果、基板対基板コネクタ組立体１４の適用可能性が低下する。本発明は、電気コネクタ１６の伝送速度を高めるために接触インピーダンスを効果的に減少させる接点を提供することによってこれらの問題を解決しようとするものである。
【課題を解決するための手段】
【０００８】
したがって、本発明の目的は、新規でかつ改良された前述のタイプの電気コネクタ組立体を提供することである。
【０００９】
本発明の例示的な実施形態において、電気コネクタは、基板対基板電気コネクタ組立体に使用するものとして開示されている。このコネクタは、第１のプリント回路基板に実装され、第２のプリント回路基板に実装された相手側コネクタのプラグ部を収容する差込口を備えた絶縁性ハウジングを有する。複数の導電性端子がハウジングに取付けられ、各端子は、差込口内に延在する接点アームを備える。該接点アームは、相手側コネクタの端子と係合するように差込口内に異なる角度で突出する第１及び第２の接点部を有する。
【００１０】
本発明の一形態によれば、差込口は、相手側コネクタのプラグ部を挿入方向に収容する開口を有する。第１の接点部は、差込口内に挿入方向とほぼ平行に開口に向って突出する。第２の接点部は、差込口内に挿入方向に対してほぼ垂直に突出する。
【００１１】
本発明の他の形態によれば、接点アームは、差込口の底にベース部を有し、第１の接点部はベース部から差込口内に突出する。接点アームは、ベース部の端に可撓（とう）性の自由部を有する。第２の接点部は、自由部の遠位端から差込口内に突出する。
【００１２】
本発明の更に他の形態によれば、端子の接点アームは、ベース部と１対の側部とを備えたほぼＵ字型である。第１及び第２の接点部は、ベース部と一方の側部とに配設される。
【００１３】
本発明のその他の目的、特徴及び利点は、添付図面と関連して行われる以下の詳細な説明から明らかである。
【００１４】
新規であると考えられる本発明の特徴は、添付の特許請求の範囲において詳細に説明される。本発明は、その目的及び利点とともに、添付図面と関連して行われる以下の説明を参照することによって最も良く理解することができるであろう。図面において類似の参照符号は類似の要素を示す。
【発明を実施するための最良の形態】
【００１５】
図面を詳細に参照して説明を行う。最初に図４を参照すると、本発明は、全体を４０で示した基板対基板電気コネクタ組立体において実施され、該基板対基板電気コネクタ組立体４０は、第１のプリント回路基板４４に実装され全体を４２で示した第１の電気コネクタと、第２のプリント回路基板４８に実装され全体を４６で示した第２のコネクタとを有する。第１のコネクタは、全体を５０で示した絶縁性ハウジングを有し、該絶縁性ハウジング５０は、向合った１対の側壁５０ａと向合った１対の端壁５０ｂとを有し、これらは組合さって、全体を５２で示したほぼ長方形の差込口を画定する。該差込口は、挿入口５２ａを有する。第２のコネクタ４６は、全体を５４で示した絶縁性ハウジングを有し、該絶縁性ハウジング５４は、向合った１対の側壁５４ａと向合った１対の端壁５４ｂとを有し、これらは組合さって、第１のコネクタ４２の長方形差込口５２に挿入することができる長方形構造を画定する。コネクタのハウジングは、プラスチック材料からモールド成形することができる。第１のコネクタのハウジングの側壁５０ａには、全体を５６で示した複数の導電性端子が取付けられ、第２のコネクタのハウジングの側壁５４ａには、全体を５８で示した複数の導電性端子が取付けられている。したがって、両方のコネクタには、２列の相互係合端子又は嵌合端子がある。
【００１６】
より詳細には、図５〜７を参照すると、第１のコネクタ４２のハウジング５０内の長方形差込口５２は、上面６０ａと両側の側面６０ｂを有する全体を６０で示した細長いか、又は、長方形のプラットフォームを取囲む。各側壁５０ａは、内側面６２、外側面６４及び上面６６を有する。
【００１７】
第１のコネクタ４２のハウジング５０は、ハウジングの外側の４つの角部にある全体を６８で示した４つの固定部材によって第１のプリント回路基板４４に固定される。この固定部材は、ハウジングに形成された溝７０に下方に挿入される。各固定部材は、ほぼＬ字型であり、対応する溝７０内に配設される垂直本体部６８ａを、プリント回路基板４４上の適切な取付パッド７１にはんだ付等によって固定される水平テール部６８ｂとともに有する。歯６８ｃが、本体部６８ａの両側縁から外方に突出し、対応する溝７０内においてハウジング５０のプラスチック材料に喰（くい）込んで固定部材を溝内に固定する。位置決定ブロック７２（図５）が溝の両側に設けられ、歯６８ｃに当って固定部材を溝内に適切に位置決めする。
【００１８】
図５及び７で最もよく分かるように、端子５６は、ハウジング５０内の複数の端子収容溝７４内に取付けられている。各端子は、細長い本体部５６ａを有する。全体を５６ｂで示したほぼＵ字型の接点アームが、本体部の内側端から差込口５２内に内方に延在している。第１の支持アーム５６ｃが、本体部の反対端からプリント回路基板４４の方に突出し、はんだ付等によってプリント回路基板４４上の回路トレース７７に接続する脚部７６を有する。第２の支持アーム５６ｄが、本体部５６ａからプリント回路基板の方に延在し、その終端部が、はんだ付等によってプリント回路基板上の回路トレースに接続するために脚部７８となっている。図７において、第１の支持アーム５６ｃは、ハウジングの外側において本体部から延在し、第２の支持アーム５６ｄは、ハウジングを貫通して本体部から延在していることが分かる。本質的に、２つのほぼ並行な支持アームが、それらの間にあるハウジングの部分を捕捉し、端子の接点部に引張力が作用しても、端子をハウジングにしっかりと固定することができる。支持アーム５６ｄは、端子をハウジングに更にしっかりとロックすることができるように、両側の縁にハウジングのプラスチック材料に喰込む歯を備える。
【００１９】
各端子５６のＵ字型接点アーム５６ｂは、ベース部８０、保持部８１及び可撓性自由部８２を有する。保持部８１は、ハウジング５０の側壁５０ａのうちの対応する側壁の内側面６２にある対応する溝７４内に配設される。ベース部８０は、差込口５２の底に配設される。自由部８２は、プラットフォームの位置決めブロック８５（図７）よりも下のプラットフォーム６０の側面６０ｂの対応する溝８４（図５）内で撓むことができる。第１の接点部８６は、差込口５２内に該差込口の開口の方に突出する。これは、端子の嵌合方向とほぼ平行である。第２の接点部８８は、差込口内にコネクタの嵌合方向とほぼ垂直方向に突出する。したがって、後述するように、２つの接点部８６及び８８は、第２のコネクタ４６の対応する端子５８（図４）と係合するように差込口内に異なる角度で突出する。
【００２０】
図８〜１０を参照すると、第２のコネクタ４６のハウジング５４は、側壁５４ａ及び端壁５４ｂと組合さって窪（くぼ）み（全体を９２で示した）を画定する底壁９０を有し、窪み９２は、コネクタを嵌合したときに第１のコネクタのプラットフォーム６０を収容する。ハウジングの両端にある１対のスロット９５内には、全体を９４で示した１対のＬ字型固定部材が配設可能である。固定部材は、プリント回路基板４２上の１対の取付パッド９６にはんだ付等によって固定するテール部９４ｂとともに、スロット内に確実に固定するための本体部９４ａを有する。
【００２１】
端子５８は、溝の上部にある穴５０ａを介して、第２のコネクタ４６のハウジングの側壁５４ａにある複数の端子収容溝（全体を９７で示した）に取付けられる。各端子５８は、ベース部５８ａを有する。該ベース部の一端からは、はんだ付等によって第２のプリント回路基板４８上の回路トレース９８に接続するためのオフセットテール部５８ｂが突出している。図１０でよく分かるように、Ｕ字型接点部５８ｃが、ベース部５８ａの反対端から突出し、ハウジングの対応する側壁５４ａの内側に配設される。したがって、前述のように、ハウジング５４に沿った２列の端子５８（すなわち、接点部５８ｃ）が、第１のコネクタ４２の２列の端子５６と係合するために設けられている。
【００２２】
図１１は、プリント回路４８上に取付けられ、プリント回路基板４４に実装された第１のコネクタ４２と矢印「Ａ」で示される挿入方向又は嵌合方向に嵌合されようとしている第２のコネクタ４６を示す。嵌合する際、第２のコネクタのハウジング５４の４つの角にある面取りしたガイドポスト９９が、第２のコネクタを、第１のコネクタとの嵌合状態に導き、また、コネクタ４２のハウジング５０の穴１００（図６）に導く。図１２は、完全に嵌合された２個のコネクタを示し、第１のコネクタ４２の端子５６の第１の接点部８６が、コネクタの挿入方向又は嵌合方向とほぼ平行な方向に第２のコネクタ４６の端子５８の接点部５８ｃと係合していることが分かる。一方、端子５６の第２の接点部８８は、端子の挿入方向又は嵌合方向とほぼ垂直な方向に端子５８の接点部５８ｃと係合している。したがって、コネクタが嵌合されたとき、２つの異なる接点部が異なる角度で突出し係合する。図１２の左側の端子５６のＵ字型接点アーム５６ｂの自由部８２の点線は、嵌合しているときの自由部の撓みを示す。本質的に、第２のコネクタ４６の各側壁５４ａは、第１のコネクタ４２の差込口５２に挿入するプラグ部を構成する。
【００２３】
本発明をその精神又は中心的特徴から逸脱することなく他の特定の形態で実施することができることを理解されよう。したがって、上記の実施例と実施形態は、すべての点において例示的であり限定的でないと考えるべきであり、本発明は、本明細書に示した詳細に限定されない。
【図面の簡単な説明】
【００２４】
【図１】背景技術に説明したような従来技術の基板対基板電気コネクタ組立体の外した状態の図である。
【図２】背景技術に説明したような従来技術の基板対基板電気コネクタ組立体の外した状態の図である。
【図３】背景技術に説明したような従来技術の基板対基板電気コネクタ組立体の嵌合した状態の図である。
【図４】本発明による基板対基板電気コネクタ組立体の１対のコネクタの斜視図である。
【図５】本発明による第１のコネクタの嵌合端から見た斜視図であり、図示を容易にするために２本の端子及び１つの固定部材がハウジングから取外されている。
【図６】図５に示したコネクタの上面図である。
【図７】図６のほぼ線７−７に沿って切断した縦断面図である。
【図８】図５と類似しているが組立体の第２のコネクタの図である。
【図９】図８に示したコネクタの上面図である。
【図１０】図９のほぼ線１０−１０に沿って切断した縦断面図である。
【図１１】嵌合直前の２個のコネクタの側面図である。
【図１２】嵌合された状態のコネクタの断面図である。
【図１】
2006302901.tif 000003
【図２】
2006302901.tif 000004
【図３】
2006302901.tif 000005
【図４】
2006302901.tif 000006
【図５】
2006302901.tif 000007
【図６】
2006302901.tif 000008
【図７】
2006302901.tif 000009
【図８】
2006302901.tif 000010
【図９】
2006302901.tif 000011
【図１０】
2006302901.tif 000012
【図１１】
2006302901.tif 000013
【図１２】
2006302901.tif 000014
【外国語明細書】
2006302901000001.pdf
2006302901000002.pdf
2006302901000003.pdf
2006302901000004.pdf